(57)【要約】      （修正有）【課題】発汗し易い夏場の就寝時などでも快適な着心地を維持することができ、夏場における発汗で脇擦れ汗疹などの衛生上の障害も起さず、しかも、外観的にも良好で型崩れを起こし難いワキ蒸れ防止シャツを提供する。【解決手段】シャツ本体１の両脇部１１に設けられた円孔部にストレッチレース生地２を取り付けて両脇部の通気性を局部的に高めることにより、上記ワキ蒸れの問題を解消する。【選択図】図１
0003146354.tif 000002
【実用新案登録請求の範囲】
【請求項１】
シャツ本体１の両脇部11・11に設けられた円孔部Ｈ・Ｈにストレッチレース生地２・２を取り付けて局部的に通気性を高めたことを特徴とするワキ蒸れ防止シャツ。
【請求項２】
シャツ本体１の両脇部11・11に設けた円孔部Ｈ・Ｈが略正円形であることを特徴とする請求項１記載のワキ蒸れ防止シャツ。
【請求項３】
ストレッチレース生地２に吸放湿性繊維を用いたことを特徴とする請求項１または２に記載のワキ蒸れ防止シャツ。
【考案の詳細な説明】
【技術分野】
【０００１】
本考案は、ワキ蒸れ防止シャツの改良、更に詳しくは、発汗し易い夏場の就寝時などでも快適な着心地を維持することができ、夏場における発汗で脇擦れ、汗疹など衛生上の障害も起きず、しかも、外観的にも良好で長持ちするワキ蒸れ防止シャツに関するものである。
【背景技術】
【０００２】
周知のとおり、夏場の就寝時等においては、下着のシャツの脇部分が汗ばんで蒸れることが多く、それによってシャツが湿って着心地が不快になったり、蒸れた脇部分が不衛生な状態となって汗疹などの肌荒れが生じたりすることがある。
【０００３】
また近年では、Ｔシャツの上に襟付きのシャツを羽織ったり複数のＴシャツを重ね着したりするファッションが流行っているため、就寝時以外の場面でもワキ蒸れが生じ易い環境となっている。
【０００４】
そこで、従来においては、＜特許文献１＞にあるように、シャツの脇部分に孔を空けることで風通しを良くしてワキ蒸れを防止する技術が提案されたが、ただ孔を空けるだけの構造では腕を上げた際に脇が丸見えになって外観的に不様であるため、特に女性からは敬遠されていた。
【０００５】
また、上記従来技術に係るシャツ構造では、腕や肩などを大きく動かす動作や洗濯などで孔周辺の生地が伸びてしまいシャツが型崩れし易かったため、シャツの寿命が短くなって非常に不経済であった。
【特許文献１】実開昭６１−３３８０７号公報（第１−３頁、第１−２図）
【考案の開示】
【考案が解決しようとする課題】
【０００６】
本考案は、上記の如き問題に鑑みて為されたものであり、その目的とするところは、発汗し易い夏場の就寝時などでも快適な着心地を維持することができ、夏場における発汗で脇擦れ汗疹などの衛生上の障害も起さず、しかも、外観的にも良好で型崩れを起こし難いワキ蒸れ防止シャツを提供することにある。
【課題を解決するための手段】
【０００７】
本考案者が上記課題を解決するために採用した手段を添付図面を参照して説明すれば次のとおりである。
【０００８】
即ち、本考案は、シャツ本体１の両脇部11・11に設けられた円孔部Ｈ・Ｈにストレッチレース生地２・２を取り付けて局部的に通気性を高めた点に特徴がある。
【０００９】
また、本考案においては、上記課題を解決するために、必要に応じて上記手段に加え、シャツ本体１の両脇部11・11に設けた円孔部Ｈ・Ｈを略正円形とするという技術的手段を採用することができる。
【００１０】
また、本考案においては、上記課題を解決するために、必要に応じて上記手段に加え、ストレッチレース生地２に吸放湿性繊維を用いるという技術的手段を採用することができる。
【考案の効果】
【００１１】
本考案においては、シャツの両脇部にストレッチレース生地を使用したことにより、脇部分の通気性を局部的に高めることが可能となり、汗をかきやすい夏場の就寝時などでもワキ蒸れが生じず快適な着心地を維持できる。
【００１２】
しかも、ワキ蒸れが生じ難くなることによって、衛生状態も良好となるため発汗による脇擦れや汗疹などの発生を未然に防止することもできる。
【００１３】
また、ストレッチレース生地は女性の下着にも頻繁に使用される意匠性に優れた生地材であるため、腕を上げた際にレース生地が外観に表れてもデザイン的な違和感は生じず、女性でも気軽に着用することができるシャツに仕立てることができる。
【００１４】
他方、ストレッチレース生地を円孔に取り付けて構成したことによって、洗濯等の際にかかる負荷がレース生地により分散されて円孔周辺のシャツ生地が伸び難くなるため、型崩れも起き難くなり通常のシャツと同程度に長持ちさせることができる。
【００１５】
なお、ストレッチレース生地に関しては伸縮性を備えているため、腕や肩を動かした際に突っ張ることもなくスムーズに動作を行うことができる。
【００１６】
したがって、本考案により、汗蒸れを防止する通気機能に優れるだけでなく、デザイン面でも経済的な面でも非常に都合が良い新規な構造のシャツを提供することができることから、本考案の実用的利用価値は頗る高い。
【考案を実施するための最良の形態】
【００１７】
『実施例１』
本発明の実施例１は、図１から図３に示される。同図において、符号１で指示するものはシャツ本体であり、符号２で指示するものは、ストレッチレース生地である。
【００１８】
次に、実施例１の構成を以下から説明する。実施例１では、図１で示すメリヤス生地で作製された半袖のシャツ本体１の両脇部11・11を図２に示すように切り抜いて円孔部Ｈ・Ｈを設け、その円孔部Ｈ・Ｈの孔周縁部に同じく円形状のストレッチレース生地２・２を図３に示すように縫着して構成した。
【００１９】
なお、ストレッチレース生地２には、レース模様が入った意匠性の高いもので、かつ、シャツ本体１と同系色の目立ち過ぎないものを使用しており、これにより腕を上げてレース生地２が外観に表れたとしてもデザイン的に違和感が生じることはない。
【００２０】
また上記のように構成したことにより、脇部分の通気性を局部的に高めることが可能となるため、ワキ蒸れが生じ難く快適な着心地を維持でき、しかも、それよって脇部の良好な衛生状態を保つこともできる。
【００２１】
一方、ストレッチレース生地２は適度な伸縮性を有しているため、腕や肩の動作に支障が生じることはなく、また、レース素材に吸放湿性が高く、かつ、肌触りも非常に良い綿材を使用したことにより脇擦れやワキ蒸れを防止する効果を更に向上できる。
【００２２】
そしてまた、ストレッチレース生地２・２を円孔Ｈ・Ｈに取り付けて構成したことで、洗濯等の際に円孔Ｈ周辺のシャツ生地にかかる負荷をレース生地２が分散して伸び難くなるため、型崩れも起き難い。
【００２３】
なお、シャツ本体１の脇部に設ける円孔Ｈは、負荷を均等に分散させるため正円形であることが望ましいが、局所的に負荷が集中しない程度であれば楕円形状であっても構わない。
【００２４】
『実施例２』
次に、本考案の実施例２を図４に基づいて説明する。この実施例２では、シャツ本体１脇部11に比較的小径の円孔部Ｈ・Ｈ…を複数設けており、これらに異なる模様のレース生地２・２…を取着して意匠性を高めており、また、円孔部Ｈ・Ｈ…を菱形状に配置してシャツ本体１の前後からレース生地２が目立たないようにしている（図４参照）。
【００２５】
本考案は、概ね上記のように構成されるが、本考案は図示の実施形態に限定されるものでは決してなく、「実用新案登録請求の範囲」の記載内において種々の変更が可能であって、例えば、シャツ本体１の生地に対してストレッチレース生地２を止着する方法としては、縫着だけでなく接着剤や熱融着シール材を使用する方法であってもよい。
【００２６】
また、ストレッチレース生地２は、手編みレースやニードルレース、ボビンレース、機械レースから任意に選択すればよく、何れのものも本考案の技術的範囲に属する。
【産業上の利用可能性】
【００２７】
近年では、生活をより快適に送れるような工夫を凝らした日用品の人気が高いが、衣服に関しては、機能性と同時にファッション性も強く求められる。
【００２８】
そのような中で、本考案のワキ蒸れ防止シャツは、局部的に通気性を高めてワキ蒸れを防止できる機能性に優れるだけでなく、意匠的な要件も充分に満足させることができる有用な技術であることから、市場における需要は大きく、その産業上の利用価値は非常に高い。
【図面の簡単な説明】
【００２９】
【図１】本考案の実施例１におけるシャツを表わす全体前面図である。
【図２】本考案の実施例１における切り抜き後のシャツの脇部を表わす部分拡大図である。
【図３】本考案の実施例１におけるシャツの脇部を表わす部分拡大図である。
【図４】本考案の実施例２におけるシャツの脇部を表わす部分拡大図である。
【符号の説明】
【００３０】
１  シャツ本体
11  脇部
２  ストレッチレース生地
Ｈ  円孔部
【図１】
0003146354.tif 000003
【図２】
0003146354.tif 000004
【図３】
0003146354.tif 000005
【図４】
0003146354.tif 000006